(57)【要約】【課題】複数の香料を混合させる場合の香料の組み合わせ、及び香料の濃度を適切に決定することができる香料放出装置、香料放出方法、及び香料放出プログラムを得る。【解決手段】香料放出装置１０は、複数の香料それぞれを所定の濃度で混合させてユーザに香りを放出可能な放出部１４と、複数の香料それぞれを混合させずに異なる複数の濃度でユーザに香りを放出した場合に取得された快適度が所定値以上となった香料の何れかを１番目の香料とし、１番目からＮ−１番目の香料以外の香料それぞれについて、所定の濃度で、１番目の濃度の香料からＮ−１番目の濃度の香料と混合させてユーザに香りを放出した場合に取得された快適度が所定値以上となった香料の何れかをＮ番目の香料とすることを繰り返すことによって決定された各香料の濃度を示す濃度情報を記憶部に記憶する情報処理装置１２と、を備える。【選択図】図１
2019170692.tif 000002
【特許請求の範囲】
【請求項１】
複数の香料それぞれを所定の濃度で混合させてユーザに香りを放出可能な放出部と、
前記放出部により放出された香りに対して前記ユーザが感じた香りの快適度を含む感覚情報、又は前記ユーザが目標とする心身状態に対する達成度を取得する取得部と、
前記複数の香料それぞれを混合させずに異なる複数の濃度で前記ユーザに香りを放出した場合に前記取得部により取得された感覚情報に含まれる快適度又は前記達成度が所定値以上となった香料の何れかを１番目の香料とすると共に、前記快適度又は前記達成度が所定値以上となったときの１番目の香料の濃度を、１番目の濃度とし、
Ｎを、２以上で、かつ混合させる香料の数の上限値以下の整数として、昇順に、
前記１番目からＮ−１番目の香料以外の香料それぞれについて、所定の濃度で、前記１番目の濃度の香料から前記Ｎ−１番目の濃度の香料と混合させて前記ユーザに香りを放出した場合に前記取得部により取得された感覚情報に含まれる快適度又は前記達成度が所定値以上となった香料の何れかをＮ番目の香料とすると共に、前記快適度又は前記達成度が所定値以上となったときのＮ番目の香料の濃度を、Ｎ番目の濃度とすることを繰り返すことによって決定された各香料の濃度を示す濃度情報を記憶部に記憶する制御を行う制御部と、
を備えた香料放出装置。
【請求項２】
前記制御部は、前記１番目の香料を決定する場合に、各香料について濃度を徐々に高くして前記ユーザに香りを放出し、前記取得部により取得された快適度又は前記達成度が低下した場合は、快適度又は前記達成度が低下した濃度より高い濃度での香りの放出を実行しない制御を行う
請求項１に記載の香料放出装置。
【請求項３】
前記Ｎ番目の香料を、前記１番目から前記Ｎ−１番目までの濃度の香料に前記所定の濃度で混合させる場合、前記所定の濃度は、前記１番目の香料を決定する際の前記快適度又は前記達成度が最も高い濃度よりも１段階低い濃度である
請求項１又は請求項２に記載の香料放出装置。
【請求項４】
前記放出部は、前記心身状態に応じて予め定められた時間帯に、前記心身状態に対応付けられて前記記憶部に記憶された濃度情報が示す濃度で複数の香料を混合させて香りを放出する
請求項３に記載の香料放出装置。
【請求項５】
前記取得部は、前記ユーザの生体情報から前記快適度又は前記達成度を求めることによって前記快適度又は前記達成度を取得する
請求項１から請求項４の何れか１項に記載の香料放出装置。
【請求項６】
前記感覚情報は、前記放出部により放出された香りに対して前記ユーザが感じた香りの強度を更に含み、
前記制御部は、前記強度が基準である強度として予め定められた強度に対応する濃度を基準濃度として更に前記記憶部に記憶する
請求項１から請求項５の何れか１項に記載の香料放出装置。
【請求項７】
複数の香料それぞれを所定の濃度で混合させてユーザに香りを放出可能な放出部により放出された香りに対して前記ユーザが感じた香りの快適度を含む感覚情報、又は前記ユーザが目標とする心身状態に対する達成度を取得し、
前記複数の香料それぞれを混合させずに異なる複数の濃度で前記ユーザに香りを放出した場合に取得した感覚情報に含まれる快適度又は前記達成度が所定値以上となった香料の何れかを１番目の香料とすると共に、前記快適度又は前記達成度が所定値以上となったときの１番目の香料の濃度を、１番目の濃度とし、
Ｎを、２以上で、かつ混合させる香料の数の上限値以下の整数として、昇順に、
前記１番目からＮ−１番目の香料以外の香料それぞれについて、所定の濃度で、前記１番目の濃度の香料から前記Ｎ−１番目の濃度の香料と混合させて前記ユーザに香りを放出した場合に取得した感覚情報に含まれる快適度又は前記達成度が所定値以上となった香料の何れかをＮ番目の香料とすると共に、前記快適度又は前記達成度が所定値以上となったときのＮ番目の香料の濃度を、Ｎ番目の濃度とすることを繰り返すことによって決定された各香料の濃度を示す濃度情報を記憶部に記憶する制御を行う
処理をコンピュータが実行する香料放出方法。
【請求項８】
複数の香料それぞれを所定の濃度で混合させてユーザに香りを放出可能な放出部により放出された香りに対して前記ユーザが感じた香りの快適度を含む感覚情報、又は前記ユーザが目標とする心身状態に対する達成度を取得し、
前記複数の香料それぞれを混合させずに異なる複数の濃度で前記ユーザに香りを放出した場合に取得した感覚情報に含まれる快適度又は前記達成度が所定値以上となった香料の何れかを１番目の香料とすると共に、前記快適度又は前記達成度が所定値以上となったときの１番目の香料の濃度を、１番目の濃度とし、
Ｎを、２以上で、かつ混合させる香料の数の上限値以下の整数として、昇順に、
前記１番目からＮ−１番目の香料以外の香料それぞれについて、所定の濃度で、前記１番目の濃度の香料から前記Ｎ−１番目の濃度の香料と混合させて前記ユーザに香りを放出した場合に取得した感覚情報に含まれる快適度又は前記達成度が所定値以上となった香料の何れかをＮ番目の香料とすると共に、前記快適度又は前記達成度が所定値以上となったときのＮ番目の香料の濃度を、Ｎ番目の濃度とすることを繰り返すことによって決定された各香料の濃度を示す濃度情報を記憶部に記憶する制御を行う
処理をコンピュータに実行させるための香料放出プログラム。
【発明の詳細な説明】
【技術分野】
【０００１】
本発明は、香料放出装置、香料放出方法、及び香料放出プログラムに関する。
【背景技術】
【０００２】
従来、入眠と覚醒とを演出する音、照明、及び香りの３つの要素を使用して利用者の入眠を誘導する入眠プログラムと、上記３つの要素を使用して利用者の睡眠後の覚醒を誘導する覚醒プログラムとを実行する技術が提案されている（特許文献１参照）。
【０００３】
また、複数のカートリッジ装着場所の各々に香源を含むカートリッジが装着された嗅覚ディスプレイ、及び予め定められた噴射パターンに基づいて嗅覚ディスプレイから香りを出力させる制御部を備えた香り時計が提案されている（特許文献２参照）。
【０００４】
また、複数の芳香原液を任意の量で混合させて香りを調整する香り調製装置が提案されている（特許文献３参照）。
【先行技術文献】
【特許文献】
【０００５】
【特許文献１】特開２０１７−１８１７５号公報
【特許文献２】特開２０１６−９７２０８号公報
【特許文献３】特開平６−１８０６１号公報
【発明の概要】
【発明が解決しようとする課題】
【０００６】
ところで、香料は多数存在し、複数の香料の組み合わせも多数存在する。また、複数の香料を混合させる際の香料の濃度も多数存在する。従って、ユーザの嗜好及び目的等に合わせて複数の香料を混合させる場合の香料の組み合わせ、及び香料の濃度を適切に決定することは困難である。しかしながら、上記特許文献１〜特許文献３に記載の技術では、ユーザの嗜好及び目的等に合わせて複数の香料を混合させる場合の香料の組み合わせ、及び香料の濃度を適切に決定することについては考慮されていない。
【０００７】
本発明は、以上の事情を鑑みて成されたものであり、複数の香料を混合させる場合の香料の組み合わせ、及び香料の濃度を適切に決定することができる香料放出装置、香料放出方法、及び香料放出プログラムを提供することを目的とする。
【課題を解決するための手段】
【０００８】
上記目的を達成するために、本発明に係る香料放出装置は、複数の香料それぞれを所定の濃度で混合させてユーザに香りを放出可能な放出部と、前記放出部により放出された香りに対して前記ユーザが感じた香りの快適度を含む感覚情報、又は前記ユーザが目標とする心身状態に対する達成度を取得する取得部と、前記複数の香料それぞれを混合させずに異なる複数の濃度で前記ユーザに香りを放出した場合に前記取得部により取得された感覚情報に含まれる快適度又は前記達成度が所定値以上となった香料の何れかを１番目の香料とすると共に、前記快適度又は前記達成度が所定値以上となったときの１番目の香料の濃度を、１番目の濃度とし、Ｎを、２以上で、かつ混合させる香料の数の上限値以下の整数として、昇順に、前記１番目からＮ−１番目の香料以外の香料それぞれについて、所定の濃度で、前記１番目の濃度の香料から前記Ｎ−１番目の濃度の香料と混合させて前記ユーザに香りを放出した場合に前記取得部により取得された感覚情報に含まれる快適度又は前記達成度が所定値以上となった香料の何れかをＮ番目の香料とすると共に、前記快適度又は前記達成度が所定値以上となったときのＮ番目の香料の濃度を、Ｎ番目の濃度とすることを繰り返すことによって決定された各香料の濃度を示す濃度情報を記憶部に記憶する制御を行う制御部と、を備える。
【０００９】
また、上記目的を達成するために、本発明に係る香料放出方法は、複数の香料それぞれを所定の濃度で混合させてユーザに香りを放出可能な放出部により放出された香りに対して前記ユーザが感じた香りの快適度を含む感覚情報、又は前記ユーザが目標とする心身状態に対する達成度を取得し、前記複数の香料それぞれを混合させずに異なる複数の濃度で前記ユーザに香りを放出した場合に取得した感覚情報に含まれる快適度又は前記達成度が所定値以上となった香料の何れかを１番目の香料とすると共に、前記快適度又は前記達成度が所定値以上となったときの１番目の香料の濃度を、１番目の濃度とし、Ｎを、２以上で、かつ混合させる香料の数の上限値以下の整数として、昇順に、前記１番目からＮ−１番目の香料以外の香料それぞれについて、所定の濃度で、前記１番目の濃度の香料から前記Ｎ−１番目の濃度の香料と混合させて前記ユーザに香りを放出した場合に取得した感覚情報に含まれる快適度又は前記達成度が所定値以上となった香料の何れかをＮ番目の香料とすると共に、前記快適度又は前記達成度が所定値以上となったときのＮ番目の香料の濃度を、Ｎ番目の濃度とすることを繰り返すことによって決定された各香料の濃度を示す濃度情報を記憶部に記憶する制御を行う処理をコンピュータが実行するものである。
【００１０】
また、上記目的を達成するために、本発明に係る香料放出プログラムは、複数の香料それぞれを所定の濃度で混合させてユーザに香りを放出可能な放出部により放出された香りに対して前記ユーザが感じた香りの快適度を含む感覚情報、又は前記ユーザが目標とする心身状態に対する達成度を取得し、前記複数の香料それぞれを混合させずに異なる複数の濃度で前記ユーザに香りを放出した場合に取得した感覚情報に含まれる快適度又は前記達成度が所定値以上となった香料の何れかを１番目の香料とすると共に、前記快適度又は前記達成度が所定値以上となったときの１番目の香料の濃度を、１番目の濃度とし、Ｎを、２以上で、かつ混合させる香料の数の上限値以下の整数として、昇順に、前記１番目からＮ−１番目の香料以外の香料それぞれについて、所定の濃度で、前記１番目の濃度の香料から前記Ｎ−１番目の濃度の香料と混合させて前記ユーザに香りを放出した場合に取得した感覚情報に含まれる快適度又は前記達成度が所定値以上となった香料の何れかをＮ番目の香料とすると共に、前記快適度又は前記達成度が所定値以上となったときのＮ番目の香料の濃度を、Ｎ番目の濃度とすることを繰り返すことによって決定された各香料の濃度を示す濃度情報を記憶部に記憶する制御を行う処理をコンピュータに実行させるためのものである。
【発明の効果】
【００１１】
本発明によれば、複数の香料を混合させる場合の香料の組み合わせ、及び香料の濃度を適切に決定することができる。
【図面の簡単な説明】
【００１２】
【図１】実施形態に係る香料放出装置のハードウェア構成を示す図である。
【図２】実施形態に係る情報処理装置の機能ブロック図である。
【図３】実施形態に係る快適度を説明するための図表である。
【図４】実施形態に係る強度を説明するための図表である。
【図５】実施形態に係る第１香料を決定する処理を説明するための図表である。
【図６】実施形態に係る第２香料を決定する処理を説明するための図表である。
【図７】実施形態に係る第３香料を決定する処理を説明するための図表である。
【図８】実施形態に係る第１香料決定処理の一例を示すフローチャートである。
【図９】実施形態に係る第２香料決定処理の一例を示すフローチャートである。
【図１０】実施形態に係る第Ｎ香料決定処理の一例を示すフローチャートである。
【発明を実施するための形態】
【００１３】
以下、図面を参照して、本発明を実施するための形態例を詳細に説明する。
【００１４】
まず、図１を参照して、本実施形態に係る香料放出装置１０のハードウェア構成を説明する。図１に示すように、香料放出装置１０は、情報処理装置１２及び放出部１４を備える。情報処理装置１２は、一例として図１に示すコンピュータで実現される。
【００１５】
情報処理装置１２は、ＣＰＵ（Central Processing Unit）２１、一時記憶領域としてのメモリ２２、及び不揮発性の記憶部２３を含む。また、情報処理装置１２は、液晶ディスプレイ等の表示部２４、キーボードとマウス等の入力部２５、ネットワークに接続される通信Ｉ／Ｆ（InterFace）２６、及び放出部１４が接続される外部Ｉ／Ｆ２７を含む。ＣＰＵ２１、メモリ２２、記憶部２３、表示部２４、入力部２５、通信Ｉ／Ｆ２６、及び外部Ｉ／Ｆ２７は、バス２８に接続される。
【００１６】
記憶部２３は、ＨＤＤ（Hard Disk Drive）、ＳＳＤ（Solid State Drive）、又はフラッシュメモリ等によって実現される。記憶媒体としての記憶部２３には、香料放出プログラム３０が記憶される。ＣＰＵ２１は、記憶部２３から香料放出プログラム３０を読み出してからメモリ２２に展開し、展開した香料放出プログラム３０を実行する。
【００１７】
放出部１４は、液体、固体、又は気体状態の香料が収容されるシリンダー等の収容体を複数備える。また、放出部１４が備える各収容体にはそれぞれ異なる香料が収容される。また、放出部１４は、情報処理装置１２のＣＰＵ２１による制御により、収容体の何れか１つに収容された香料を用いて所定の濃度で香りを外部に放出する。また、放出部１４は、情報処理装置１２のＣＰＵ２１による制御により、複数の収容体に収容された複数の香料を所定の濃度で混合させて香りを外部に放出する。
【００１８】
なお、香料の例としては、植物から抽出された天然香料（オレンジ、ペパーミント、ラベンダー、レモン、及びローズマリー等）、天然香料に含まれる主要成分（リモネン、リナロール、シトラール、メントール、１，８−シネオール、及びα−ピネン等）、及び調香に用いられる合成香料成分（リラール、イソ吉草酸ベンジル、ゲラニルニトリル、及びフェニル酢酸ゲラニル等）等が挙げられる。
【００１９】
次に、図２を参照して、本実施形態に係る情報処理装置１２の機能的な構成を説明する。図２に示すように、情報処理装置１２は、取得部４０及び制御部４２を含む。ＣＰＵ２１が香料放出プログラム３０を実行することで、取得部４０及び制御部４２として機能する。
【００２０】
取得部４０は、放出部１４により放出された香りに対応してユーザにより入力部２５を介して入力された香りの快適度及び強度を含む感覚情報を取得する。本実施形態では、快適度は、一例として図３に示すように、−４から４までの９段階で入力される。また、本実施形態では、強度は、一例として図４に示すように、０から５までの６段階で入力される。
【００２１】
制御部４２は、放出部１４を制御し、放出部１４の各収容体に収容された香料それぞれを混合させずに、異なる複数の濃度で香りを放出部１４から放出させる。この際、制御部４２は、濃度が徐々に高くなるように香りを放出部１４から放出させる。
【００２２】
一例として図５に示すように、本実施形態では、各香料について、５段階の濃度でそれぞれ香りが放出部１４から放出され、各濃度の香りに対応してユーザにより香りの快適度及び強度が入力される。なお、図５の例では、数字が大きいほど、濃度が高い場合について示している。
【００２３】
また、制御部４２は、各香料について、入力された強度が基準となる強度（本実施形態では「３」）である濃度を基準濃度と決定し、快適度が最高の濃度を快適濃度と決定する。図５の例では、香料Ａの快適濃度及び基準濃度は、それぞれ「４」となる。また、制御部４２は、快適濃度に対応する快適度の順位、又は各香料の作用効果（例えば、目標心身状態のなり易さ）に関する従来知見、もしくはその組み合わせに基づいて、各香料の優先順位を決定する。
【００２４】
また、制御部４２は、各香料のうち、快適濃度に対応する快適度が最高の香料を１番目の香料（以下、「第１香料」という）と決定する。なお、制御部４２は、各香料のうち、快適度が最高の香料が複数存在する場合は、何れか１つの香料を第１香料と決定する。また、この場合、制御部４２は、快適度が最高の複数の香料のうち、快適濃度が最も低い香料を第１香料と決定してもよい。
【００２５】
また、本実施形態では、制御部４２は、図５の網掛け部分に示すように、濃度を徐々に高くした際に、快適度が１段階前の濃度の快適度よりも低下した場合は、その時点でその香料における香りの放出を打ち切る。すなわち、制御部４２は、濃度を徐々に高くした際に、快適度が１段階前の濃度の快適度よりも低下した場合は、快適度が低下した濃度より高い濃度での香料の放出を実行しない制御を行う。これは、濃度を徐々に高くした際に、快適度が低下するということは、それ以上高い濃度で香りを放出したとしても快適度が高くなることが考え難いためである。これにより、第１香料を決定する際の手順数を減らすことができる。
【００２６】
また、制御部４２は、放出部１４を制御し、第１香料以外の所定数Ｍの各香料について、快適濃度の第１香料と、第１香料を決定した際の快適濃度の香料とを混合させて放出部１４から香りを放出させる。この際、本実施形態では、制御部４２は、優先順位が高い香料から順に混合させる。一例として図６に示すように、放出部１４から放出された香りに対応してユーザにより香りの快適度が入力される。なお、図６では、第１香料が香料Ａで、かつ香料Ａの快適濃度が「４」である場合の例を示している。
【００２７】
また、制御部４２は、第１香料との組み合わせで、快適度が最高である香料を２番目の香料（以下、「第２香料」という）と決定する。図６の例では、香料Ｃが第２香料と決定される。
【００２８】
また、制御部４２は、放出部１４を制御し、第１香料及び第２香料以外の所定数Ｍの各香料について、快適濃度の第１香料及び第２香料と、第１香料を決定した際の快適濃度より１段階低い濃度の香料とを混合させて放出部１４から香りを放出させる。この際、本実施形態では、制御部４２は、優先順位が高い香料から順に混合させる。また、一例として図７に示すように、放出部１４から放出された香りに対応してユーザにより香りの快適度が入力される。なお、図７では、第１香料が香料Ａで、かつ香料Ａの快適濃度が「４」であり、第２香料が香料Ｃで、かつ香料Ｃの快適濃度が「２」である場合の例を示している。
【００２９】
また、制御部４２は、第１香料及び第２香料との組み合わせで、快適度が最高である香料を３番目の香料（以下、「第３香料」という）と決定する。図７の例では、香料Ｄが第３香料と決定される。また、本実施形態では、４番目以降の香料についても第３香料と同様に決定される。
【００３０】
すなわち、制御部４２は、３番目以降のＮ（Ｎは３以上で、かつ混合させる香料の数の上限値以下の整数）番目の香料（以下、「第Ｎ香料」という）は、以下に示す処理で決定する。この場合、制御部４２は、第１香料〜第Ｎ−１香料以外の所定数Ｍの各香料について、快適濃度の第１香料〜第Ｎ−１香料と、第１香料を決定した際の快適濃度より１段階低い濃度の香料とを混合させて放出部１４から香りを放出させる。この場合の所定数Ｍは、例えば、第Ｎ香料を決定する際に、第１香料〜第Ｎ−１香料に混合させる香料の候補数として、ユーザにより設定された値を適用することができる。なお、制御部４２は、第２香料を第Ｎ香料と同様に決定してもよい。
【００３１】
そして、制御部４２は、第１香料〜第Ｎ−１香料との組み合わせで、快適度が最高である香料を第Ｎ香料と決定する。本実施形態では、制御部４２は、第Ｎ香料を決定する際に、第１香料を決定する際の快適濃度が最低段階（本実施形態では「１」）の香料については、濃度を半分（図７の例における香料Ｅの「０．５」）とする。なお、この場合、制御部４２は、第Ｎ香料を決定する際に、第１香料を決定する際の快適濃度が最低段階の香料については混合の対象外としてもよい。
【００３２】
また、制御部４２は、最後の第Ｎ香料の決定後に、第Ｎ香料を決定した際の第１香料〜第Ｎ香料の各香料の濃度を表す濃度情報５０を、記憶部２３に記憶する。また、本実施形態では、濃度情報５０に対応付けて、各香料の基準濃度も記憶部２３に記憶する。
【００３３】
次に、図８〜図１０を参照して、本実施形態に係る香料放出装置１０の作用を説明する。情報処理装置１２のＣＰＵ２１が香料放出プログラム３０を実行することによって、図８に示す第１香料決定処理、図９に示す第２香料決定処理、及び図１０に示す第Ｎ香料決定処理が実行される。なお、図８に示す第１香料決定処理は、例えば、ユーザにより入力部２５を介して香料放出プログラム３０の実行指示が入力された場合に実行される。
【００３４】
図８のステップＳ１０で、制御部４２は、放出部１４に収容されている複数の香料のうち、１つの香料を選択する。なお、本ステップＳ１０が２回目以降に実行される場合には、制御部４２は、それまでに未選択の香料を選択する。ステップＳ１２で、制御部４２は、ステップＳ１０の処理により選択された香料を、放出部１４から放出させる際の濃度を選択する。本実施形態では、制御部４２は、前述したように、本ステップＳ１２が繰り返し実行される都度、前回よりも１段階高い濃度を選択する。従って、図５に示した例では、１回目に本ステップＳ１２が実行される際には、制御部４２は、５段階のうち最も低い１段階目の濃度を選択し、２回目に本ステップＳ１２が実行される際には、制御部４２は、５段階のうち２段階目の濃度を選択する。
【００３５】
ステップＳ１４で、制御部４２は、放出部１４を制御し、ステップＳ１０の処理により選択された香料について、ステップＳ１２の処理により選択された濃度で香りを放出部１４から放出させる。ユーザは、放出部１４から放出された香りに対応して、香りの快適度及び強度を、入力部２５を介して入力する。ステップＳ１６で、取得部４０は、ユーザにより入力された香りの快適度及び強度を取得する。
【００３６】
ステップＳ１８で、制御部４２は、ステップＳ１２の処理により選択された濃度が上限の濃度（図５の例では５段階目の濃度）であるか否かを判定する。この判定が肯定判定となった場合は、処理はステップＳ２４に移行し、否定判定となった場合は、処理はステップＳ２０に移行する。
【００３７】
ステップＳ２０で、制御部４２は、ステップＳ１６の処理により取得された香りの強度が、強いにおいの強度として予め定められた強度（図４の例では強度「４」）以上であるか否かを判定する。この判定が肯定判定となった場合は、処理はステップＳ２４に移行し、否定判定となった場合は、処理はステップＳ２２に移行する。
【００３８】
ステップＳ２２で、制御部４２は、直前に実行されたステップＳ１６の処理により取得された香りの快適度が、その１回前に実行されたステップＳ１６の処理により取得された香りの快適度よりも低下しているか否かを判定する。この判定が否定判定となった場合は、処理はステップＳ１２に戻り、肯定判定となった場合は、処理はステップＳ２４に移行する。
【００３９】
ステップＳ２４で、制御部４２は、ステップＳ１２〜Ｓ２２の繰り返し処理におけるステップＳ１６の処理により取得された快適度のうち、最高の快適度に対応する濃度をステップＳ１０の処理により選択された香料の快適濃度と決定する。また、制御部４２は、ステップＳ１２〜Ｓ２２の繰り返し処理におけるステップＳ１６の処理により取得された強度のうち、基準となる強度に対応する濃度をステップＳ１０の処理により選択された香料の基準濃度と決定する。
【００４０】
ステップＳ２６で、制御部４２は、ステップＳ１０〜Ｓ２４の処理が、放出部１４に収容された香料のうち、所定数Ｍの全ての香料について完了したか否かを判定する。この判定が否定判定となった場合は、処理はステップＳ１０に戻り、肯定判定となった場合は、処理はステップＳ２８に移行する。
【００４１】
ステップＳ２８で、制御部４２は、ステップＳ１０〜Ｓ２６の繰り返し処理におけるステップＳ１０で選択された香料のうち、ステップＳ２４の処理により決定された快適濃度に対応する快適度が最高の香料を第１香料と決定する。
【００４２】
ステップＳ３０で、制御部４２は、ステップＳ１０〜Ｓ２６の繰り返し処理におけるステップＳ１０で選択された香料について、ステップＳ２４の処理により決定された快適濃度に対応する快適度の順位、又は各香料の作用効果に関する従来知見、もしくはその組み合わせに基づいて、各香料の優先順位を決定する。ステップＳ３０の処理が終了すると、第１香料決定処理が終了する。第１香料決定処理が終了すると、図９に示す第２香料決定処理が実行される。
【００４３】
図９のステップＳ４０で、制御部４２は、放出部１４に収容されている複数の香料のうち、上記ステップＳ２８の処理により決定された第１香料以外の１つの香料を選択する。本ステップＳ４０が２回目以降に実行される場合には、制御部４２は、それまでに未選択の香料を選択する。なお、本ステップＳ４０で、制御部４２は、ステップＳ３０で決定された優先順位の高い香料から順に１つの香料を選択することが望ましい。
【００４４】
ステップＳ４２で、制御部４２は、放出部１４を制御し、第１香料と、ステップＳ４０の処理により決定された香料を、それぞれについて上記ステップＳ２４の処理により決定された快適濃度で混合させて放出部１４から香りを放出させる。ユーザは、放出部１４から放出された香りに対応して、香りの快適度を、入力部２５を介して入力する。ステップＳ４４で、取得部４０は、ユーザにより入力された香りの快適度を取得する。
【００４５】
ステップＳ４６で、制御部４２は、ステップＳ４０〜Ｓ４４の処理が、放出部１４に収容された、第１香料以外の所定数Ｍの全ての香料について完了したか否かを判定する。この判定が否定判定となった場合は、処理はステップＳ４０に戻り、肯定判定となった場合は、処理はステップＳ４８に移行する。
【００４６】
ステップＳ４８で、制御部４２は、ステップＳ４０〜Ｓ４６の繰り返し処理におけるステップＳ４０の処理により選択された香料のうち、ステップＳ４４の処理により取得された快適度が最高の香料を第２香料と決定する。ステップＳ４８の処理が終了すると、第２香料決定処理が終了する。第２香料決定処理が終了すると、図１０に示す第Ｎ香料決定処理が実行される。第Ｎ香料決定処理は、３番目の香料から、（混合させる香料の数の上限値）番目の香料までのそれぞれについて順番に実行される。
【００４７】
図１０のステップＳ５０で、制御部４２は、放出部１４に収容されている複数の香料のうち、第１香料〜第Ｎ−１香料以外の１つの香料を選択する。本ステップＳ５０が２回目以降に実行される場合には、制御部４２は、それまでに未選択の香料を選択する。なお、本ステップＳ５０で、制御部４２は、ステップＳ３０で決定された優先順位の高い香料から順に１つの香料を選択することが望ましい。
【００４８】
ステップＳ５２で、制御部４２は、第１香料〜第Ｎ−１香料と、ステップＳ５０の処理により選択された香料を混合させて放出部１４から香りを放出させる。この際、制御部４２は、第１香料〜第Ｎ−１香料は、第Ｎ−１香料を決定した際の濃度とし、ステップＳ５０の処理により選択された香料は、ステップＳ２４の処理により決定された快適濃度より１段階低い濃度とする。ユーザは、放出部１４から放出された香りに対応して、香りの快適度を、入力部２５を介して入力する。ステップＳ５４で、取得部４０は、ユーザにより入力された香りの快適度を取得する。
【００４９】
ステップＳ５６で、制御部４２は、ステップＳ５０〜Ｓ５４の処理が、放出部１４に収容された、第１香料〜第Ｎ−１香料以外の所定数Ｍの全ての香料について完了したか否かを判定する。この判定が否定判定となった場合は、処理はステップＳ５０に戻り、肯定判定となった場合は、処理はステップＳ５８に移行する。
【００５０】
ステップＳ５８で、制御部４２は、ステップＳ５０〜Ｓ５６の繰り返し処理におけるステップＳ５０の処理により選択された香料のうち、ステップＳ５４の処理により取得された快適度が最高の香料を第Ｎ香料と決定する。そして、制御部４２は、Ｎが混合させる香料の数の上限値である場合は、第Ｎ香料を決定した際の各香料の濃度を示す濃度情報５０を、記憶部２３に記憶する。また、この際、制御部４２は、上記ステップＳ２４の処理により決定された基準濃度を濃度情報５０に対応付けて記憶する。ステップＳ５８の処理が終了すると、第Ｎ香料決定処理が終了する。
【００５１】
香料放出装置１０は、例えば、ユーザからの指示に従って、以上の処理により記憶部２３に記憶された濃度情報５０が示す濃度で各香料を混合させて香りを放出部１４から放出する。また、例えば、ユーザから香料放出プログラム３０の実行指示が再度入力された場合は、上記ステップＳ１２で濃度を選択する際に、基準濃度より１段階低い濃度から選択する。これにより、濃度の下限値から濃度を選択する場合に比較して、第１香料を決定する処理の手順数を減らすことができる。
【００５２】
以上説明したように、本実施形態によれば、複数の香料を混合させる場合の香料の組み合わせ、及び香料の濃度を適切に決定することができる。
【００５３】
なお、上記実施形態では、香りの快適度をユーザが入力する場合について説明したが、これに限定されない。香りの快適度をユーザの生体情報から求めてもよい。この場合、例えば、ユーザの心拍間隔及び心拍変動の高周波成分等の副交感神経指標を用いて、ユーザがリラックスしている度合いを求め、求めたリラックスしている度合いを快適度として用いる形態が例示される。なお、ユーザの生体情報の例としては、心拍、血圧、脈波、呼吸、脳波、脳血流、眼球運動、瞬目、開閉眼、瞳孔径、皮膚温、皮膚電気活動、唾液中バイオマーカー、皮膚ガス、及び呼気ガス等が挙げられる。
【００５４】
また、上記実施形態において、取得部４０が、ユーザにより入力された、ユーザが目標とする心身状態（以下、「目標心身状態」という）を取得してもよい。この場合、制御部４２は、濃度情報５０と、取得部４０により取得された目標心身状態とを対応付けて記憶部２３に記憶する形態が例示される。なお、目標心身状態の例としては、覚醒（目を覚ましたい）、活性化（元気になりたい）、集中、リラックス、疲労回復、及び入眠（眠りたい）等が挙げられる。この形態例において、ユーザは、例えば、快適度の代わりに、放出部１４により放出された香りを嗅ぐことによって、ユーザの心身状態がどれだけ目標心身状態に近づいたかを表す達成度を入力する。また、この形態例において、取得部４０は、上記実施形態における快適度に代わりに、ユーザにより入力された目標心身状態に対する達成度を取得する。そして、制御部４２は、上記実施形態における快適度に代わりに、取得部４０が取得した達成度を用いて、第１香料〜第Ｎ香料を決定する。なお、この形態例において、目標心身状態に対する達成度をユーザの生体情報から求めてもよい。
【００５５】
また、この形態例において、制御部４２は、目標心身状態に応じて予め定められた時間帯に、目標心身状態に対応付けられて記憶部２３に記憶された濃度情報５０が示す濃度で複数の香料を混合させて香りを放出してもよい。この場合、例えば、朝には、「覚醒」の目標心身状態に対応付けられた濃度情報５０が示す濃度で複数の香料を混合させて香りを放出し、昼には、「活性化」の目標心身状態に対応付けられた濃度情報５０が示す濃度で複数の香料を混合させて香りを放出する形態が例示される。また、この場合、例えば、夕には、「リラックス」の目標心身状態に対応付けられた濃度情報５０が示す濃度で複数の香料を混合させて香りを放出し、夜には、「入眠」の目標心身状態に対応付けられた濃度情報５０が示す濃度で複数の香料を混合させて香りを放出する形態が例示される。
【００５６】
また、上記実施形態において、取得部４０が、ユーザにより入力された、ユーザが香りを嗅ぐ前の心身状態（以下、「前心身状態」という）を更に取得してもよい。この場合、制御部４２は、濃度情報５０と目標心身状態と前心身状態とを対応付けて記憶部２３に記憶する形態が例示される。この場合、ユーザにより入力された現在の心身状態（前心身状態に対応）と目標心身状態とに対応付けられて記憶部２３に記憶された濃度情報５０が示す濃度で複数の香料を混合させて香りを放出する形態が例示される。
【００５７】
また、上記実施形態における図８〜図１０に示した混合させる香料の組み合わせ及び濃度を決定する処理において、性別、年齢、及び個人の嗜好等のユーザに関する既知の情報を用いてもよい。この場合、例えば、ユーザに関する既知の情報から、各香料の優先順位を決定する形態が例示される。
【００５８】
また、上記実施形態において、第Ｎ−１香料を決めた後に、他の多数のユーザについて同様の手法により決められた濃度情報５０から、第１香料〜第Ｎ−１香料の濃度の組み合わせとの類似度が所定値以上の濃度情報５０を取得してもよい。この場合、取得した濃度情報５０に含まれない香料及び濃度について、第Ｎ香料を決定する際の選択対象としての優先順位を高くする形態が例示される。
【００５９】
また、上記実施形態におけるＣＰＵ２１により行われる処理は、プログラムを実行することにより行われるソフトウェア処理として説明したが、ハードウェアで行われる処理としてもよい。また、ＣＰＵ２１により行われる処理は、ソフトウェア及びハードウェアの双方を組み合わせて行われる処理としてもよい。
【００６０】
また、上記実施形態では、香料放出プログラム３０が記憶部２３に予め記憶されている態様を説明したが、これに限定されない。香料放出プログラム３０は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、香料放出プログラム３０は、ネットワークを介して外部装置からダウンロードされる形態としてもよい。
【符号の説明】
【００６１】
１０  香料放出装置
１２  情報処理装置
１４  放出部
２１  ＣＰＵ
２２  メモリ
２３  記憶部
２４  表示部
２５  入力部
２６  通信Ｉ／Ｆ
２７  外部Ｉ／Ｆ
２８  バス
３０  香料放出プログラム
４０  取得部
４２  制御部
５０  濃度情報
【図１】
2019170692.tif 000003
【図２】
2019170692.tif 000004
【図３】
2019170692.tif 000005
【図４】
2019170692.tif 000006
【図５】
2019170692.tif 000007
【図６】
2019170692.tif 000008
【図７】
2019170692.tif 000009
【図８】
2019170692.tif 000010
【図９】
2019170692.tif 000011
【図１０】
2019170692.tif 000012